(57)【要約】【課題】印刷媒体の幅の検出誤差を低減することができる媒体幅検出装置および印刷装置を提供することを課題としている。【解決手段】第１ガイドとの間で印刷媒体Ｐを印刷媒体Ｐの幅方向にガイドし、且つ、第１ガイドとの間のガイド幅が変わるように第１方向に移動可能な可動ガイドと、第１方向に対して斜めとなる第２方向にスライドするスライダー６２、を有するスライド式可変抵抗器６０と、一の側からスライダー６２が係合する係合部６６、を有し、可動ガイドに固定された固定部材６５と、を備え、係合部６６には、係合したスライダー６２を、可動ガイドの第１方向への移動に連動して、第２方向にスライドさせるスライダー係合路、が設けられていることを特徴とする。【選択図】図８
2015124043.tif 000002
【特許請求の範囲】
【請求項１】
第１ガイドとの間で印刷媒体を前記印刷媒体の幅方向にガイドし、且つ、前記第１ガイドとの間のガイド幅が変わるように第１方向に移動可能な可動ガイドと、
前記第１方向に対して斜めとなる第２方向にスライドするスライダー、を有するスライド式可変抵抗器と、
一の側から前記スライダーが係合する係合部、を有し、前記可動ガイドに固定された固定部材と、を備え、
前記係合部には、係合した前記スライダーを、前記可動ガイドの前記第１方向への移動に連動して、前記第２方向にスライドさせるスライダー係合路、が設けられていることを特徴とする媒体幅検出装置。
【請求項２】
前記係合部は、
前記スライダー係合路を間に挟んで互いに対向した２つの側壁部と、
２つの前記側壁部の前記一の側とは反対側に設けられ、２つの前記側壁部を接続する接続部と、
を含むことを特徴とする請求項１に記載の媒体幅検出装置。
【請求項３】
前記接続部には、開口が設けられていることを特徴とする請求項２に記載の媒体幅検出装置。
【請求項４】
前記固定部材は、前記一の側とは反対側の面に突出した凸部、を有し、
前記固定部材よりも前記一の側とは反対側に設けられ、前記凸部の前記一の側とは反対側への変位を規制する規制部、をさらに備えたことを特徴とする請求項１ないし３のいずれか一項に記載の媒体幅検出装置。
【請求項５】
前記固定部材は、前記スライダー係合路を斜辺とした直角三角形を為す領域を含む形状を有することを特徴とする請求項１ないし４のいずれか一項に記載の媒体幅検出装置。
【請求項６】
請求項１ないし５のいずれか一項に記載の媒体幅検出装置と、
前記媒体幅検出装置により検出された前記印刷媒体の幅と、受信した印刷データとに基づいて、前記印刷媒体の幅が、前記印刷データを印刷可能な幅であるか否かを判定する制御部と、
を備えたことを特徴とする印刷装置。
【発明の詳細な説明】
【技術分野】
【０００１】
本発明は、印刷媒体の幅を検出する媒体幅検出装置および印刷装置に関するものである。
【背景技術】
【０００２】
従来、原稿の幅方向に移動可能であり、原稿の幅方向の端部を規制するサイド規制部材と、原稿の幅方向に対して斜めとなる方向にスライドするスライダーおよびスライダーに固定されたスライドレバーを有するスライドボリュームと、サイド規制部材に連結され、且つ、スライドレバーと着脱可能に連結されたラックとを備えたシートサイズ検出装置が知られている（特許文献１参照）。
【先行技術文献】
【特許文献】
【０００３】
【特許文献１】特開２００４−１３１２６７号公報
【発明の概要】
【発明が解決しようとする課題】
【０００４】
従来のシートサイズ検出装置においては、スライドレバーとスライドボリュームのスライダーとを固定する必要があるが、特に、スライダーが細いピン状である場合には、スライドレバーとスライダーとを確実に固定することが困難であった。そのため、スライドレバーがスライダーに対して回転する要素が残ってしまう。スライドレバーがスライダーに対して回転すると、印刷媒体の幅の検出誤差が生じる原因となり得る。
【０００５】
本発明は、印刷媒体の幅の検出誤差を低減することができる媒体幅検出装置および印刷装置を提供することを課題としている。
【課題を解決するための手段】
【０００６】
本発明の媒体幅検出装置は、第１ガイドとの間で印刷媒体を印刷媒体の幅方向にガイドし、且つ、第１ガイドとの間のガイド幅が変わるように第１方向に移動可能な可動ガイドと、第１方向に対して斜めとなる第２方向にスライドするスライダー、を有するスライド式可変抵抗器と、一の側からスライダーが係合する係合部、を有し、可動ガイドに固定された固定部材と、を備え、係合部には、係合したスライダーを、可動ガイドの第１方向への移動に連動して、第２方向にスライドさせるスライダー係合路、が設けられていることを特徴とする。
【０００７】
この構成によれば、固定部材が可動ガイドに固定されていることで、固定部材に設けられたスライダー係合路が、スライダーに対して回転することが抑制される。このため、可動ガイドの第１方向への移動に連動して、スライダーを第２方向へ、精度良くスライドさせることができる。したがって、印刷媒体の幅の検出誤差を低減することができる。
【０００８】
この場合、係合部は、スライダー係合路を間に挟んで互いに対向した２つの側壁部と、２つの側壁部の一の側とは反対側に設けられ、２つの側壁部を接続する接続部と、を含むことが好ましい。
【０００９】
この構成によれば、２つの側壁部が、接続部に接続されていることで、スライダー係合路の幅が広がりにくくなる。これにより、可動ガイドの第１方向への移動に連動して、スライダーを第２方向へ、より精度良くスライドさせることができる。
【００１０】
この場合、接続部には、開口が設けられていることが好ましい。
【００１１】
この構成によれば、開口を介して、スライド式可変抵抗器のスライダーが、固定部材のスライダー係合路に係合されているか否かを視認することができる。
【００１２】
この場合、固定部材は、一の側とは反対側の面に突出した凸部、を有し、固定部材よりも一の側とは反対側に設けられ、凸部の一の側とは反対側への変位を規制する規制部、をさらに備えることが好ましい。
【００１３】
この構成によれば、一の側とは反対側への固定部材の変位を規制でき、スライダー係合路からスライダーが抜けることを防止することができる。
【００１４】
この場合、固定部材は、スライダー係合路を斜辺とした直角三角形を為す領域を含む形状を有することが好ましい。
【００１５】
この構成によれば、固定部材がスライダー係合路に沿った細長い形状を有する場合に比べ、可動ガイドに固定部材を精度良く取り付けることができる。また、固定部材の強度を向上させることができる。
【００１６】
本発明の印刷装置は、上記の媒体幅検出装置と、媒体幅検出装置により検出された印刷媒体の幅と、受信した印刷データとに基づいて、印刷媒体の幅が、印刷データを印刷可能な幅であるか否かを判定する制御部と、を備えたことを特徴とする。
【００１７】
この構成によれば、印刷媒体の幅の検出誤差を低減することができる媒体幅検出装置を備えたことで、印刷媒体の幅が、印刷データを印刷可能な幅であるか否かを正確に判定することができる。
【図面の簡単な説明】
【００１８】
【図１】本発明の一実施形態の印刷装置の全体図である。
【図２】印刷装置の外装カバーを外した内部の図である。
【図３】印刷装置の構成図である。
【図４】媒体幅検出ユニットの斜視図である。
【図５】媒体幅検出ユニットの断面図である。
【図６】媒体幅検出ユニットの上面図である。
【図７】媒体幅検出ユニットのロック機構を示す図である。
【図８】媒体幅検出ユニットの下面図である。
【図９】媒体幅検出ユニットの固定プレートを示す図であって、（ａ）は、上面図であり、（ｂ）は、左方から見た図であり、（ｃ）は、下面図である。
【発明を実施するための形態】
【００１９】
以下、添付の図面を参照し、本発明の一実施形態に係る印刷装置について説明する。本実施形態の印刷装置は、パソコン、携帯端末などの情報処理装置から送信された印刷データに基づいて、ロール紙などの印刷媒体に、インクジェット方式で画像を印刷するものである。
なお、以下では、図に示した「上」「下」「左」「右」「前」「後」を用いて説明するが、これらの方向は説明の便宜上のものであり、本発明の実施に関しては、これらの方向に限定されることはない。
【００２０】
図１および図２に示すように、印刷装置１０は、略直方体状の装置ケース１１を有している。装置ケース１１の前面には、左方寄りの上半分に、ディスプレイや操作ボタン等が配置された表示・操作パネル１２が設けられている。表示・操作パネル１２の下方には、引き出し式のインクカートリッジ交換口１３が形成されている。また、装置ケース１１の前面には、右方寄りの略中央に、左右に長い用紙排出口１４が形成されている。用紙排出口１４から、印刷されたロール紙Ｐが排出される。
【００２１】
装置ケース１１の右側面には、前方寄りの下方に、廃インクタンク交換口１５が設けられている。廃インクタンク交換口１５の後方には、装置ケース１１の後面にかけて、ロール紙供給口１６が広く設けられている。ロール紙供給口１６の内部には、ロール紙装填部２１が設けられている。ユーザーは、ロール紙Ｐがコア部にロール状に巻かれたロール体Ｒ（図３参照）を、ロール紙供給口１６からロール紙装填部２１に装填する。
【００２２】
さらに、装置ケース１１には、ロール紙供給口１６の上方から装置ケース１１の上面にかけて、装置内部を開閉する外装カバー１７が設けられている。外装カバー１７は、装置ケース１１上面の略中央に設けられたヒンジ１８を中心に回転する。
【００２３】
図３に示すように、印刷装置１０は、ロール紙装填部２１と、ロール紙装填部２１の上方に設けられた媒体幅検出ユニット２２と、媒体幅検出ユニット２２の後方に設けられたテンションレバー２３と、媒体幅検出ユニット２２の前方に設けられた送り部２４と、送り部２４の前方に設けられた印刷部２５と、これらの各部を統括制御する制御部（図示省略）とを備えている。なお、媒体幅検出ユニット２２は、特許請求の範囲における「媒体幅検出装置」の一例である。
【００２４】
送り部２４は、ロール紙Ｐを回転送りする送りローラー２６と、ギア列等を介して送りローラー２６を正逆回転駆動する送りモーター２７とを備えている。印刷装置１０は、送りローラー２６を正回転駆動すると共に、ロール紙装填部２１がロール体Ｒを繰出し回転させることで、ロール体Ｒからロール紙Ｐが繰り出され、繰り出されたロール紙Ｐが用紙排出口１４へ向けて送られる。また、印刷装置１０は、送りローラー２６を逆回転駆動すると共に、ロール紙装填部２１がロール体Ｒを巻取り回転させることで、ロール紙装填部２１に向けてロール紙Ｐが逆送りされ、ロール体Ｒにロール紙Ｐが巻き取られる。
【００２５】
テンションレバー２３は、媒体幅検出ユニット２２の上流側端部に設けられたテンション軸２８により、前後に揺動可能に支持されている。テンション軸２８には、テンションレバー２３の揺動角度を検出するエンコーダー（図示省略）が設けられている。制御部は、エンコーダーの検出結果に基づいて、ロール紙装填部２１を駆動制御する。これにより、ロール体Ｒからロール紙Ｐが繰り出される繰出し速度が制御され、ロール紙装填部２１から繰り出されたロール紙Ｐに、一定範囲内のテンションを付与することができる。すなわち、テンションレバー２３により、ロール体Ｒから繰り出されたロール紙Ｐに掛かるテンションを、一定範囲内に収めることができる。
【００２６】
印刷部２５は、複数のインクジェットヘッドで構成されたライン型の印刷ヘッドを、複数色分、備えている。印刷部２５は、ロール紙装填部２１から繰り出され送られてくるロール紙Ｐに対し、カラー印刷を行う。
【００２７】
図４および図５に示すように、媒体幅検出ユニット２２は、支持部２９と、支持部２９の左端部に固定された固定部３０と、支持部２９に対して左右に移動可能に設けられた可動部３１と、可動部３１の左右の移動をガイドするガイド軸４０と、支持部２９に固定されたスライド式可変抵抗器６０（以下、単に「可変抵抗器」ともいう。）と、を備えている。
【００２８】
支持部２９は、上方から順に、支持プレート３２と、上接続部材３３と、下接続部材３４とを備えている。支持プレート３２は、右端部および左端部が下方に屈曲形成されている。支持プレート３２の上面を、ロール紙Ｐが送られていく。支持プレート３２の下面には、可変抵抗器６０が取り付けられる抵抗器取付プレート３５が固定されている。上接続部材３３は、支持プレート３２の前後略中間部において、支持プレート３２の右端部と左端部とを接続するように設けられている。上接続部材３３と後述する固定プレート６５の凸片６８との間には、僅かな間隙が設けられている。下接続部材３４は、上接続部材３３の下方において、支持プレート３２の右端部と左端部とを接続するように設けられている。
なお、固定プレート６５は、特許請求の範囲における「固定部材」の一例である。
【００２９】
固定部３０は、支持プレート３２の左側辺部に固定された固定ガイド３６と、固定ガイド３６に設けられ、ロール紙Ｐの左側辺部を押圧する固定側押えレバー３７とを備えている。
【００３０】
固定ガイド３６には、支持プレート３２上面を送られていくロール紙Ｐの左側端が突き当たる。固定ガイド３６は、後述する可動ガイド３８との間で、支持プレート３２上面を送られていくロール紙Ｐを幅方向にガイドする。
【００３１】
固定側押えレバー３７は、ロール紙Ｐの送りを許容しつつ、ロール紙Ｐの左側辺部を、上方から押圧する。固定側押えレバー３７は、ロール紙Ｐを押圧する位置と、ロール紙Ｐから離間した位置との間で、回転可能に構成されている。
【００３２】
図４および図６に示すように、可動部３１は、ガイド軸４０に対して左右にスライド可能に設けられた可動ガイド３８と、可動ガイド３８に設けられ、ロール紙Ｐの右側辺部を押圧する可動側押えレバー３９と、可動ガイド３８をガイド軸４０に対してロック・アンロックするロック機構５０と、可動ガイド３８の下端部に固定された固定プレート６５とを備えている。
【００３３】
可動ガイド３８は、前後方向に延在するガイド部４１と、ガイド部４１の前後略中間部から左方に延在する軸挿通部４２とを備えている。可動ガイド３８は、固定ガイド３６との間のガイド幅が変わるように、左右方向に移動可能となっている。なお、左右方向は、特許請求の範囲における「第１方向」の一例である。
【００３４】
ガイド部４１は、支持プレート３２上面を送られていくロール紙Ｐの右端が突き当たる。ガイド部４１は、上記の固定ガイド３６との間でロール紙Ｐを幅方向にガイドする。
【００３５】
軸挿通部４２は、略直方体状に形成されている。軸挿通部４２の左側面および右側面には、ガイド軸４０が挿通したガイド軸孔４３が形成されている。軸挿通部４２の上面左前隅部には、略前後方向に僅かに長いロック長孔５３が形成されている。このロック長孔５３には、後述するロック軸５１が嵌入されている。さらに、軸挿通部４２の前面右方寄りには、後述するロックバネ５２の前端が係止されるロックバネ前係止部５４が形成されている。軸挿通部４２の下面には、後述する第１固定ネジ７４および第２固定ネジ７５が螺合するネジ孔（図示省略）がそれぞれ形成されている。また、軸挿通部４２の下面には、後述する位置決め円形孔７１および位置決め長孔７６に係合する２つの位置決めピン７９が突設されている。
【００３６】
可動側押えレバー３９は、上記の固定側押えレバー３７と同様に、ロール紙Ｐの送りを許容しつつ、ロール紙Ｐの右側辺部を上方から押圧する。可動側押えレバー３９は、ロール紙Ｐを押圧する位置と、ロール紙Ｐから離間した位置との間で、回転可能に構成されている。
【００３７】
ロール紙Ｐは、可動側押えレバー３９および上記の固定側押えレバー３７により、両側辺部が押圧されながら、支持プレート３２の上面を送られる。このため、ロール紙Ｐが支持プレート３２の上面から浮き上がりにくくなり、ロール紙Ｐのジャミングや印刷位置ズレなどが生じることを抑制することができる。
【００３８】
図６および図７に示すように、ロック機構５０は、ロックプレート５７と、ロックプレート５７の左前端部に立設されたロック軸５１と、ロックプレート５７を回動付勢するロックバネ５２と、ロックプレート５７をロックバネ５２に抗して回動操作するためのロック解除レバー５８とを有している。
【００３９】
ロックプレート５７は、スチール板などの金属製の板材で構成されており、左右に長い略横「Ｌ」字状に形成されている。ロックプレート５７の前辺部やや右寄りには、ロック突片５９が上向きに突設されている。ロック突片５９には、例えばゴムで構成された摩擦部材５５が取り付けられている。ロックプレート５７の後辺部やや右方寄りには、右方に屈曲して延びるロックバネ後係止部５６が形成されている。ロックバネ後係止部５６に、ロックバネ５２の後端が係止されている。
ロック軸５１は、上記のロック長孔５３に対し、ロック長孔５３の延在方向に沿ってスライド可能に係合している。ロック軸５１は、後述する摩擦部材５５との間で、ガイド軸４０を挟持する。なお、ロック軸５１の近傍には、後述する第２固定ネジ７５が貫通すると共にロックプレート５７の回動を許容する大きさの貫通孔８０が形成されている。
【００４０】
ロック軸５１と摩擦部材５５とは、ガイド軸４０を前後に挟むようにして設けられている。そして、ロックプレート５７は、ロック軸５１および摩擦部材５５がガイド軸４０に当接したロック位置（図７（ａ）参照）と、ロック軸５１および摩擦部材５５がガイド軸４０から離間したアンロック位置（図７（ｃ）参照）との間で、回動可能に構成されている。
【００４１】
ロックバネ５２は、引張コイルバネで構成されており、前端が軸挿通部４２のロックバネ前係止部５４に係止され、後端がロックプレート５７のロックバネ後係止部５６に係止されている。ロックバネ５２は、ロックプレート５７をロック位置に向けて（上面視時計回りに）回動付勢している。
【００４２】
ロック解除レバー５８は、ロック軸５１に対し、前後に回転可能に支持されている。ロック解除レバー５８の下端部は、ロックプレート５７の後辺部の左端に形成されている解除レバー受け片６１と係合している。
【００４３】
このように構成されたロック機構５０により、可動ガイド３８は、通常、ガイド軸４０に対してロックされた状態にある（図７（ａ）参照）。ユーザーが、ロック解除レバー５８を前方に回転操作すると、ロックバネ５２に抗してロックプレート５７がロック位置からアンロック位置へ回動し、可動ガイド３８が、ガイド軸４０に対してアンロック状態となる（図７（ｃ）参照）。この状態で、ユーザーは、ロール紙Ｐの紙幅に応じて、可動ガイド３８を紙幅方向、すなわち左右方向にスライドさせ、ガイド幅を調整する。ユーザーがロック解除レバー５８から手を離すと、ロックバネ５２の付勢力により、ロックプレート５７がアンロック位置からロック位置へと回動し、可動ガイド３８が、ガイド軸４０に対してロックされた状態に戻る。
【００４４】
図５および図８に示すように、固定プレート６５は、可動ガイド３８の軸挿通部４２の下端部に固定されている。このため、固定プレート６５は、可動ガイド３８と共に左右に移動する。固定プレート６５については後述する。
【００４５】
可変抵抗器６０は、抵抗器取付プレート３５を介して支持プレート３２の下面に固定されている。可変抵抗器６０は、細長い略直方体状に形成されている。可変抵抗器６０は、ピン状のスライダー６２と、左右方向に対して斜め方向（以下、単に「斜め方向」という。）に延在するガイド溝６３とを備えている。スライダー６２は、ガイド溝６３に沿って、斜め方向にスライド可能となっている。また、スライダー６２は、固定プレート６５に形成されたスライダー係合路６４（後述する）に係合している。そのため、スライダー６２は、可動ガイド３８の左右への移動に連動して、斜め方向にスライドする。これにより、可変抵抗器６０の出力抵抗値が変化し、制御部が、所定の算出式に基づいて、可動ガイド３８の位置、すなわちロール紙Ｐの紙幅が検出する。斜め方向は、特許請求の範囲における「第２方向」の一例である。
なお、各部品の寸法誤差や、可変抵抗器６０の製品個体差などを考慮して、可変抵抗器６０の出力抵抗値に対する紙幅の値を、製品出荷前に検査した上で、印刷装置１０の製品ごとに算出式を設定することが好ましい。
【００４６】
制御部は、ロール紙Ｐの紙幅を算出した後、印刷データを受信すると、受信した印刷データを解析して、セット済みのロール紙Ｐの紙幅が、受信した印刷データを印刷可能な幅寸法であるか否かを判定する。そして、印刷可能でないと判定した場合は、用紙サイズエラーであるとして、所定のエラー処理を行う。エラー処理としては、例えば、ロール紙Ｐの側端からはみ出る部分の印刷データを印刷しないようにするマスク処理を行う。また、印刷装置１０や情報処理装置においてエラー報知をするようにしてもよい。
【００４７】
ここで、スライダー６２は、可動ガイド３８の移動方向である左右方向に対して斜めを為す斜め方向にスライドするため、可動ガイド３８が、スライダー６２のスライド可能寸法よりも長い寸法を移動する場合にも、紙幅を検出可能である。換言すれば、可動ガイド３８の移動可能寸法よりも、スライダー６２のスライド可能寸法が短い可変抵抗器６０を用いることができる。
【００４８】
図８および図９に示すように、固定プレート６５は、略直角三角形状の板状に形成されている。固定プレート６５は、例えば樹脂で構成されており、可撓性を有している。固定プレート６５は、略直角三角形状の斜辺に沿って設けられた係合部６６と、後方寄りに設けられた取付部６７と、前端部近傍に設けられ下方に突出した凸片６８とを備えている。
【００４９】
係合部６６は、上面視細長い略長円形状に形成されている。係合部６６には、その延在方向に沿って、溝状のスライダー係合路６４が形成されている。スライダー係合路６４には、上記した可変抵抗器６０のスライダー６２が、上方から係合する。スライダー係合路６４は、可動ガイド３８が移動する左右方向に対し、斜めを為す角度に延在している。また、スライダー係合路６４は、スライダー６２がスライドする斜め方向に対し、略直交する角度に延在している。スライダー係合路６４は、係合したスライダー６２を、可動ガイド３８の左右への移動に連動して、斜め方向にスライドさせる。固定プレート６５は、スライダー係合路６４を斜辺とした直角三角形を為す領域Ｆを含む形状を有している。
【００５０】
係合部６６は、スライダー係合路６４を間に挟んで対向する２つの側壁部４５と、２つの側壁部４５の下側に設けられ、２つの側壁部４５を接続する接続部６９とを備えている。
【００５１】
２つの側壁部４５は、スライダー係合路６４に係合するスライダー６２に対応した高さを有している。すなわち、固定プレート６５の上面側において、２つの側壁部４５は、その周囲に対し僅かに突出しており、また、固定プレート６５の下面側において、２つの側壁部４５は、その周囲に対し上面側よりも、さらに突出している。
【００５２】
接続部６９は、溝状に形成されたスライダー係合路６４の溝底に相当する。２つの側壁部４５が、接続部６９に接続されていることで、スライダー係合路６４の幅が広がりにくくなっている。これにより、可動ガイド３８の左右への移動に連動して、スライダー６２を斜め方向へ、より精度良くスライドさせることができる。
【００５３】
さらに、接続部６９の前端部には、長円形の開口７０が形成されている。この開口７０を介して、印刷装置１０の組立時などに、スライダー６２が固定プレート６５のスライダー係合路６４に係合されているか否かを、作業者が視認することができる。
【００５４】
取付部６７は、固定プレート６５を可動ガイド３８に取り付けるための部位である。取付部６７には、右方から順に、位置決め円形孔７１と、第１固定ネジ挿通孔７２と、位置決め長孔７６と、第２固定ネジ挿通孔７３とが形成されている。位置決め円形孔７１、第１固定ネジ挿通孔７２および位置決め長孔７６は、左右方向に沿って並んでいる。第２固定ネジ挿通孔７３は、位置決め長孔７６に対し、左斜め後方に設けられている。第１固定ネジ７４は、第１固定ネジ挿通孔７２を挿通して、軸挿通部４２に形成されたネジ孔に螺合する。第２固定ネジ７５は、第２固定ネジ挿通孔７３および上記したロックプレート５７の貫通孔８０を挿通して、軸挿通部４２に形成されたネジ孔に螺合する。なお、固定プレート６５の上面には、位置決め長孔７６の左方に、凹部７８が形成されている。この凹部７８は、上記したロック軸５１のかしめ部分が当接する箇所となる。
【００５５】
固定プレート６５は、位置決め円形孔７１および位置決め長孔７６に、軸挿通部４２の下面に設けられた２つの位置決めピン７９が係合し、軸挿通部４２に対して位置決めされた状態で、第１固定ネジ７４および第２固定ネジ７５により軸挿通部４２にネジ止めされている。
【００５６】
上記したように、固定プレート６５は、スライダー係合路６４を斜辺とした直角三角形を為す領域Ｆを含む形状を有しているため、固定プレート６５がスライダー係合路６４に沿った細長い形状を有する場合に比べ、可動ガイド３８に固定プレート６５を精度良く取り付けることができる。また、固定プレート６５の強度を向上させることができる。
【００５７】
凸片６８は、固定プレート６５の下面から、正面視略「Ｕ」字状に突出形成されている。上述したように、凸片６８の下端部と、固定プレート６５の下方に設けられた上記の上接続部材３３の上面との間には、僅かな間隙が設けられている（図５参照）。その間隙は、スライダー係合路６４に対するスライダー６２の係合深さよりも、短くなっている。上述したように、固定プレート６５は、可撓性を有しており、可動ガイド３８のスライド操作時における衝撃等により、先端部が下方に反るように一時的に変形することで、スライダー６２がスライダー係合路６４から抜けてしまうおそれがある。これに対し、本実施形態によれば、そのように固定プレート６５が一時的に変形した場合にも、凸片６８（凸部）が上接続部材３３（規制部）に突き当たることで、凸片６８の下方への変位が規制されるため、固定プレート６５がそれ以上、下方に反ることが防止される。したがって、スライダー係合路６４からスライダー６２が抜けることを防止することができる。
【００５８】
以上のように、本実施形態の印刷装置１０によれば、固定プレート６５が可動ガイド３８に固定されていることで、固定プレート６５に設けられたスライダー係合路６４が、スライダー６２に対して回転することが抑制される。このため、可動ガイド３８の左右方向への移動に連動して、スライダー６２を斜め方向へ、精度良くスライドさせることができる。したがって、印刷媒体の幅の検出誤差を低減することができる。さらに、ロール紙Ｐの幅が、印刷データを印刷可能な幅であるか否かを正確に判定することができる。
【００５９】
なお、本実施形態では、可動ガイド３８との間でロール紙Ｐをガイドする第１ガイドとして、紙幅方向に固定された固定ガイド３６を例に挙げて説明したが、これに限定されるものではなく、ガイド幅が変わるように移動可能なガイドであってもよい。また、印刷媒体としては、ロール紙Ｐに限定されるものではなく、ファンフォールド紙など他の長尺材であってもよく、単票紙であってもよい。
【符号の説明】
【００６０】
２２…媒体幅検出ユニット、  ３６…固定ガイド、  Ｐ…ロール紙、  ３８…可動ガイド、  ６２…スライダー、  ６０…スライド式可変抵抗器、  ６６…係合部、  ６５…固定プレート、  ６４…スライダー係合路
【図１】
2015124043.tif 000003
【図２】
2015124043.tif 000004
【図３】
2015124043.tif 000005
【図４】
2015124043.tif 000006
【図５】
2015124043.tif 000007
【図６】
2015124043.tif 000008
【図７】
2015124043.tif 000009
【図８】
2015124043.tif 000010
【図９】
2015124043.tif 000011